(57)【要約】【課題】運搬や設置作業が容易で、設置費用を低減することができる外調機を設置するための空調設備、外調機の据付施工方法および空調設備の製造方法を提供する。【解決手段】内設配管１２が、架台１１の内側に取り付けられ、外調機１および温水・冷水配管に接続可能である。内設配管１２は、端部に接続する際のずれを吸収可能なハウジング継手２７，２８を有している。覆い部材１３が、架台１１の側面にその側面を塞ぐよう取り付けられている。配線器具が、架台１１の内側に取り付けられ、電源設備に接続して外調機１に電気を供給可能である。まず、架台１１を設置し、架台１１の上に外調機１を設置する。その後、外調機１と温水・冷水配管とに内設配管１２を接続する。【選択図】図１
2006125806.tif 000002
【特許請求の範囲】
【請求項１】
温水・冷水配管に接続され、電源設備から電気の供給を受けて駆動する外調機を設置するための空調設備であって、
前記外調機を載せるための架台と、
前記架台の内側に取り付けられた、前記外調機および前記温水・冷水配管に接続するための内設配管とを、
有することを特徴とする空調設備。
【請求項２】
前記架台および前記内設配管は、前記内設配管が前記架台の内側に取り付けられた状態で運搬車の荷台に積載可能な大きさの２つの部分から組み立てられていることを、特徴とする請求項１記載の空調設備。
【請求項３】
前記架台の側面にその側面を塞ぐよう取り付けられた覆い部材と、
前記架台の内側に取り付けられ、前記電源設備に接続可能であって前記外調機に電気を供給するための配線器具とを有し、
前記内設配管は端部に接続する際のずれを吸収可能なハウジング継手を有することを、
特徴とする請求項１または２記載の空調設備。
【請求項４】
請求項１，２または３記載の空調設備を用いた外調機の据付施工方法であって、
前記架台を設置する第１工程と、
前記架台の上に前記外調機を設置する第２工程と、
前記外調機と前記温水・冷水配管とに前記内設配管を接続する第３工程とを有することを、
特徴とする外調機の据付施工方法。
【請求項５】
請求項３記載の空調設備の製造方法であって、
前記架台は複数の吊下用鋼材と複数の支持用鋼材とから成り、
前記内設配管を前記吊下用鋼材に吊り下げて固定する第１工程と、
第１工程後、前記吊下用鋼材を前記支持用鋼材に支持されるよう固定する第２工程と、
第２工程後、前記内設配管に対して耐圧試験を行う第３工程と、
第３工程後、前記内設配管から前記ハウジング継手を取り外す第４工程とを、
有することを特徴とする空調設備の製造方法。
【発明の詳細な説明】
【技術分野】
【０００１】
本発明は、外調機を設置するための空調設備、外調機の据付施工方法および空調設備の製造方法に関する。
【背景技術】
【０００２】
従来の空調設備として、架台に室外機を載せた後、架台の内側に冷媒用の配管を行うものがある（例えば、特許文献１，２参照）。しかし、室外機の下の狭い空間で上向き溶接などの危険な作業を伴い、作業しにくく、溶接品質が確保しづらく、作業時間もかかるという問題があった。この問題を解決するため、室外機と、室外機と一体化された架台と、架台の内部に収納されて室外機に接続された冷媒用の配管とを有する室外機ユニットを、クレーン等で搬入して設置するものがある（例えば、特許文献３参照）。また、配管および配線の全てを内設した架台の上に、室外機を設置するものもある（例えば、特許文献４参照）。
【０００３】
【特許文献１】特開２０００−１８６５０号公報
【特許文献２】特開平１１−２３０５８０号公報
【特許文献３】特開２００１−１４１２６３号公報
【特許文献４】特開平９−４７８７号公報
【発明の開示】
【発明が解決しようとする課題】
【０００４】
しかしながら、特許文献３記載の空調設備では、室外機と架台とを別々に設置する場合に比べ、クレーンが大型になり、かえって設置作業が困難で、作業時間がかかり、設置費用も嵩むという課題があった。また、外調機など大型で水等を冷媒とする空調機の室外機では、設置場所までの運搬や搬入が道路交通法の道路制限外運搬となり、実際上運搬困難になるという課題もあった。特許文献４記載の空調設備は、ビル用マルチ方式空調システムで使用される室外機に用いられるものであり、それより大型の外調機に用いられるものではない。これも、外調機など大型で水等を冷媒とする空調機に適用すると、設置場所までの運搬や搬入が道路交通法の道路制限外運搬となり、実際上運搬困難になる。
【０００５】
本発明は、このような課題に着目してなされたもので、運搬や設置作業が容易で、設置費用を低減することができる外調機を設置するための空調設備、外調機の据付施工方法および空調設備の製造方法を提供することを目的としている。
【課題を解決するための手段】
【０００６】
上記目的を達成するために、本発明に係る空調設備は、温水・冷水配管に接続され、電源設備から電気の供給を受けて駆動する外調機を設置するための空調設備であって、前記外調機を載せるための架台と、前記架台の内側に取り付けられた、前記外調機および前記温水・冷水配管に接続するための内設配管とを、有することを特徴とする。
【０００７】
本発明に係る外調機の据付施工方法は、本発明に係る空調設備を用いた外調機の据付施工方法であって、前記架台を設置する第１工程と、前記架台の上に前記外調機を設置する第２工程と、前記外調機と前記温水・冷水配管とに前記内設配管を接続する第３工程とを有することを、特徴とする。
【０００８】
本発明に係る空調設備および外調機の据付施工方法では、内設配管が、その配管ユニット毎に溶接作業のほとんどを良好な作業環境である床面で行った後、架台の内側に取り付けられているため、外調機と温水・冷水配管とに内設配管を接続するとき、外調機の下の狭い空間での作業を省略することができ、外調機の設置作業が容易である。また、設置現場での配管作業を最小限に抑え、作業時間を短縮することができる。
【０００９】
本発明に係る空調設備で、前記架台および前記内設配管は、前記内設配管が前記架台の内側に取り付けられた状態で運搬車の荷台に積載可能な大きさの２つの部分から組み立てられていてもよい。この場合、運搬する道路の幅や、搬入するクレーンや作業空間の大きさを考慮して、架台および内設配管を２つの部分に分割し、容易かつ安全に運搬・設置することができる。これにより、大型の外調機の場合でも、道路制限に適応して運搬することができ、設置の際に小型で安価なクレーンや運搬用台車などを使用することができるため、設置費用を低減することができる。例えば、架台および内設配管を、外調機の空気流れ方向に直交する断面で等分に分かれるよう、空気流れ方向に平行する垂直断面で幅方向を分割する。この場合、架台および内設配管の分割された２つの部分が、工場から現場へのトレーラによる運搬時に道路制限内の断面積荷物となり、あらかじめ工場にて一体組み立て済みとして出荷することができる。また、空気流れ方向に直交する垂直断面で長さ方向を分割する場合に比べて、内設配管の接合部が少なくなるため、耐圧品質が向上し、コストを低減することができる。
【００１０】
本発明に係る空調設備は、前記架台の側面にその側面を塞ぐよう取り付けられた覆い部材と、前記架台の内側に取り付けられ、前記電源設備に接続可能であって前記外調機に電気を供給するための配線器具とを有し、前記内設配管は端部に接続する際のずれを吸収可能なハウジング継手を有していてもよい。この構成では、覆い部材により架台の内側の内設配管や配線器具に雨・雪・風が当たるのを防ぐことができるため、凍結や破損防止用の断熱材や保護カバーの使用を最小限にして設置費用の低減を図ることができる。また、ハウジング継手により、内設配管と外調機または温水・冷水配管とを接続する際のずれを吸収することができるため、架台や外調機をずらしたり配管を改造したりすることなく、内設配管を外調機または温水・冷水配管に容易に接続することができる。
【００１１】
本発明に係る空調設備は、架台の内側に、外調機の温度制御用の自動弁装置と水槽とケーブルラックとポンプとが取り付けられていても良い。この場合、設置現場でのこれらの付属設備の取付作業を省くことができ、作業時間を短縮することができる。
【００１２】
本発明に係る空調設備の製造方法では、前記架台は複数の吊下用鋼材と複数の支持用鋼材とから成り、前記内設配管を前記吊下用鋼材に吊り下げて固定する第１工程と、第１工程後、前記吊下用鋼材を前記支持用鋼材に支持されるよう固定する第２工程と、第２工程後、前記内設配管に対して耐圧試験を行う第３工程と、第３工程後、前記内設配管から前記ハウジング継手を取り外す第４工程とを、有することを特徴とする。
【００１３】
本発明に係る空調設備の製造方法では、第１工程で内設配管を吊下用鋼材に吊り下げて固定した後、第２工程で吊下用鋼材を支持用鋼材に支持されるよう固定するため、上向き溶接などは発生せず、能率良く高品質な溶接接続が可能となる。また、第３工程で内設配管に対して耐圧試験を行うため、設置現場ではハウジング継手の耐圧試験のみでよく、設置現場での作業を最小限に抑え、設置の作業時間を短縮することができ、非常に能率が良い。耐圧試験の結果に基づき、内設配管の溶接品質が一定に保たれるよう品質管理を行うことができ、高品質に施工できる。
【発明の効果】
【００１４】
本発明によれば、運搬や設置作業が容易で、設置費用を低減することができる外調機を設置するための空調設備、外調機の据付施工方法および空調設備の製造方法を提供することができる。
【発明を実施するための最良の形態】
【００１５】
以下、図面に基づき、本発明の実施の形態について説明する。
図１乃至図４は、本発明の実施の形態の空調設備、外調機の据付施工方法および空調設備の製造方法を示している。
図１乃至図４に示すように、空調設備１０は、架台１１と内設配管１２と覆い部材１３と水槽１４と自動弁装置１５と配線器具（図示せず）とを有している。
【００１６】
図２に示すように、架台１１は、ほぼ同じ大きさの２つのブロック１１ａ，１１ｂから成っている。架台１１は、ブロック１１ａとブロック１１ｂとを並べ、その上に外調機１を配置可能な枠組みを形成している。ブロック１１ａ，１１ｂは、それぞれ複数の支持用鋼材である柱材２１と支持用上部梁材２２ａと下部梁材２３と、複数の吊下用鋼材である吊下用上部梁材２２ｂとから成り、全体が直方体状の輪郭をなしている。柱材２１、支持用上部梁材２２ａ、吊下用上部梁材２２ｂおよび下部梁材２３は、Ｈ形鋼・溝形鋼から成る。
【００１７】
各支持用上部梁材２２ａ、各吊下用上部梁材２２ｂおよび各下部梁材２３は、それぞれ各ブロック１１ａ，１１ｂの上部および下部を構成している。各支持用上部梁材２２ａ、各吊下用上部梁材２２ｂおよび各下部梁材２３は、それぞれ全体が長方形の枠の内側を幅方向に複数の区画に仕切って成る、それぞれ異なった形状、大きさの長方形の枠を形成している。各柱材２１は、各支持用上部梁材２２ａ、各吊下用上部梁材２２ｂおよび各下部梁材２３に対し垂直をなし、それらの対応する端部を連結している。２つのブロック１１ａ，１１ｂは、支持用上部梁材２２ａおよび下部梁材２３の端部に接続部材３０を互いに架け渡し、接続部材３０をボルトで固定することにより一体化される。一例では、架台１１は、長さが７ｍ、幅が４．４ｍ、高さが１．２ｍである。各ブロック１１ａ，１１ｂは、トラックの荷台に積載可能な大きさから成り、長さが７ｍ、幅が２．２ｍ、高さが１．２ｍである。
【００１８】
図２乃至図４に示すように、内設配管１２は、架台１１の内側に取り付けられている。内設配管１２は、ブロック１１ａ，１１ｂの各吊下用上部梁材２２ｂに吊り下げて固定され、ブロック１１ａ，１１ｂと一体化している。内設配管１２は、外調機１および温水配管を接続する温水管２４と、外調機１および冷水配管を接続する冷水管２５と、外調機１および水槽１４を接続するエアワッシャ管２６とを有している。温水管２４、冷水管２５およびエアワッシャ管２６は、端部にハウジング継手２７，２８が取り付けられている。また、内設配管１２のうち、架台１１の各ブロック１１ａ，１１ｂ間で連続するものは、それぞれ各ブロック１１ａ，１１ｂの境界付近の端部にハウジング継手２９が取り付けられ、各ブロック１１ａ，１１ｂ間で互いに着脱可能になっている。なお、ハウジング継手２７，２８，２９は、接続する際の１〜２ｍｍ程度のずれを吸収可能な継手（例えば、商品名「ヴィクトリックジョイント」、日本ヴィクトリック株式会社製）から成る。
【００１９】
図１に示すように、覆い部材１３は、複数のガルバリウム板から成る。覆い部材１３は、架台１１の側面に、その側面を塞ぐよう取り付けられている。覆い部材１３は、柱材２１、支持用上部梁材２２ａおよび下部梁材２３で囲まれた枠内を覆い、柱材２１、支持用上部梁材２２ａおよび下部梁材２３にビス止めされている。
【００２０】
図２および図３に示すように、水槽１４は、内部に水が溜められて、エアワッシャの循環水供給の機能を有し、架台１１の内側に取り付けられている。水槽１４は、２本のエアワッシャ管２６に接続されている。エアワッシャは、一方のエアワッシャ管２６を通して外調機１の内部に水槽１４の水を噴霧して給気中の塵埃などを取り除き、その空気を適度な湿度に調節する。外調機１の処理空気から塵埃などを取り込んだ水を、ワッシャ部下部ドレン口から他方のエアワッシャ管２６を通して水槽１４へ戻すよう構成されている。なお、水槽１４の水は、補給水とオーバーフロー水により常時入れ替えが行われている。
【００２１】
図３に示すように、自動弁装置１５は、架台１１の内側で、温水管２４および冷水管２５に取り付けられている。自動弁装置１５は、外調機１から室内に供給される空気の温度を制御するよう、温水管２４からの温水の供給および冷水管２５からの冷水の供給を調整可能に構成されている。
配線器具は、ケーブルラック（図示せず）に載せられて、架台１１の内側に取り付けられている。配線器具は、電源設備から外調機１に電気を供給して駆動させるよう、電源設備と外調機１とを接続可能である。
【００２２】
外調機１は、空調設備１０を用いて、以下に示す方法で容易に据付施工することができる。
あらかじめ工場で空調設備１０を製造する。まず、内設配管１２を配管ユニット毎に床上作業で溶接し、吊下用鋼材である吊下用上部梁材２２ｂに吊り下げて固定し、その後、吊下用上部梁材２２ｂを支持用鋼材である柱材２１と支持用上部梁材２２ａと下部梁材２３とに支持されるよう固定し、架台１１を組み立てる。これにより、上向き溶接などは発生せず、能率良く高品質な溶接接続が可能となる。次に、水槽１４と自動弁装置１５と配線器具とを架台１１の内側に取り付け、内設配管１２に対して耐圧試験や気密試験を行う。これにより、設置現場ではハウジング継手の耐圧試験のみでよく、水槽１４、自動弁装置１５および配線器具の取付作業も省略できるため、設置現場での作業を最小限に抑え、設置の作業時間を短縮することができ、非常に能率が良い。また、耐圧試験の結果に基づき、内設配管の溶接品質が一定に保たれるよう品質管理を行うことができ、高品質に施工できる。内設配管１２からハウジング継手２９を取り外し、各ブロック１１ａ，１１ｂに分割する。このように、空調設備１０を、大型の外調機の場合でも、架台一体として工場で製造することができる。
【００２３】
次に、図２に示すように、架台１１を工場から運搬して、設置位置に設置する。このとき、架台１１および内設配管１２を２つのブロック１１ａ，１１ｂに分割して運搬、設置する。例えば、架台１１の幅を４．４ｍとした場合、そのままでは道路を運搬することができないが、幅が２．２ｍの２つのブロック１１ａ，１１ｂに分割することにより、特別な許可を得ることなく、道路制限に適応して容易かつ安全に運搬・設置することができる。また、設置の際に小型で安価なクレーンや運搬用台車などを使用することができるため、設置費用を低減することができる。
このように、架台１１および内設配管１２は、外調機１の空気流れ方向に直交する断面で等分に分かれるよう、空気流れ方向に平行する垂直断面で幅方向を各ブロック１１ａ，１１ｂに分割されている。このため、各ブロック１１ａ，１１ｂが、工場から現場へのトレーラによる運搬時に道路制限内の断面積荷物となり、あらかじめ工場にて一体組み立て済みとして出荷することができる。また、空気流れ方向に直交する垂直断面で長さ方向を分割する場合に比べて、内設配管１２のハウジング継手２９による接合部が少なくなるため、耐圧品質が向上し、コストを低減することができる。
【００２４】
各ブロック１１ａ，１１ｂを設置後、各ブロック１１ａ，１１ｂを接続部材３０で一体化し、各ブロック１１ａ，１１ｂ間で連続する内設配管１２同士を、ハウジング継手２９で接続する。ハウジング継手２９により、内設配管１２同士を接続する際のずれを吸収することができるため、各ブロック１１ａ，１１ｂをずらしたり内設配管１２を改造したりすることなく、内設配管１２同士を容易に接続することができる。内設配管１２には、断熱材や保護カバーを取り付ける。一例では、雨がかからない場所の一般的な仕様の、安価なビニル表面仕上げにしている。
【００２５】
図１に示すように、架台１１の上に外調機１を設置する。その後、外調機１に内設配管１２をハウジング継手２７で接続し、温水・冷水配管に内設配管１２をハウジング継手２８で接続し、電源設備と外調機１とを配線器具で接続する。このとき、内設配管１２が工場においてその組み立て自由度から派生する良好な作業環境で、あらかじめ架台１１の内側に取り付けられているため、外調機１の下の狭い空間での作業を省略することができ、外調機１の設置作業が容易である。また、設置現場での配管作業を最小限に抑え、作業時間を短縮することができる。ハウジング継手２７，２８により、内設配管１２と外調機１または温水・冷水配管とを接続する際のずれを吸収することができるため、架台１１や外調機１をずらしたり配管を改造したりすることなく、内設配管１２を外調機１または温水・冷水配管に容易に接続することができる。
【００２６】
図１に示すように、架台１１の側面にその側面を塞ぐよう覆い部材１３を取り付ける。これにより、架台１１の内側の内設配管１２や配線器具に雨・雪・風が当たるのを防ぐことができるため、凍結や破損防止用の断熱材や保護カバーの使用を最小限にして設置費用の低減を図ることができる。
こうして、空調設備１０を用いて、外調機１を容易に据付施工することができる。
【００２７】
空調設備１０は、水槽１４、自動弁装置１５、配線器具などの付属設備を架台１１の内側に取り付けるため、外調機１の隣や上側にこれらの付属設備を設置する場合に比べ、設置スペースを小さくし、スペースの有効利用を図ることができる。また、特に外調機１の上側に付属設備を設置し、はしごなどで昇降してメンテナンスを行う場合に比べ、付属設備のメンテナンスを容易に行うことができる。
【００２８】
空調設備１０は、工場で内設配管１２を任意に配置することができる。このため、複数台の外調機１を並べて設置し、隣り合った空調設備１０同士で内設配管１２を互いに接続して温水・冷水配管などの設備を共用できるように内設配管１２を配置しておくことができる。これにより、複数台の外調機１を効率よく設置・稼働することができる。
【図面の簡単な説明】
【００２９】
【図１】本発明の実施の形態の空調設備の使用状態を示す斜視図である。
【図２】本発明の実施の形態の空調設備を示す斜視図である。
【図３】図１に示す空調設備の内設配管の配置を示す概略平面図である。
【図４】図１に示す空調設備の内設配管の配置を示す概略左側面図である。
【符号の説明】
【００３０】
１    外調機
１０  空調設備
１１  架台
１２  内設配管
１３  覆い部材
１４  水槽
１５  自動弁装置
２１  柱材
２２ａ  支持用上部梁材
２２ｂ  吊下用上部梁材
２３  下部梁材
２４  温水管
２５  冷水管
２６  エアワッシャ管
２７，２８，２９  ハウジング継手
３０  接続部材
【図１】
2006125806.tif 000003
【図２】
2006125806.tif 000004
【図３】
2006125806.tif 000005
【図４】
2006125806.tif 000006